(57)【要約】  動的照明装置の給電出力モジュールが照明制御信号に基づき、電気パラメータが一組または複数組の動的変化の電気パラメータを含む第１給電信号を出力することと、前記動的照明装置の一つまたは複数の照明部が前記第１給電信号の駆動のもとで動的変化の光信号を生成することにより、前記動的照明装置が動的変化の照明光を出力することとを含み、任意の０．１秒の期間内に、前記照明光の照度の変化率は０．０２以下であり、かつ、前記動的照明装置によって出力される照明光の照度の最小値と最大値との比は５０％以下である動的照明方法に関する。この照明方法によれば、照明光の変化に応じて使用者の眼部の構造を変化させることができるため、目を長時間使用した場合に視覚疲労が生じ易いという問題を解決することができる。
2019526160.tif 000002
【特許請求の範囲】
【請求項１】
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで動的変化の光信号を生成することにより、前記動的照明装置は動的変化の照明光を出力することと、
を含み、
任意の０．１秒の期間内に、前記照明光の照度の変化率は０．０２以下であり、かつ、前記動的照明装置によって出力される照明光の照度の最小値と最大値との比は５０％以下であることを特徴とする動的照明方法。
【請求項２】
前記動的照明装置によって出力される動的変化の照明光が使用者の眼部に入射することにより、使用者の眼部の構造は前記照明光の動的変化に伴って動的に変化することを特徴とする、
請求項１に記載の動的照明方法。
【請求項３】
前記動的変化の照明光の照度の変化範囲は５０ｌｕｘ〜１００００ｌｕｘであることを特徴とする、
請求項１に記載の動的照明方法。
【請求項４】
前記複数の照明部は前記第１給電信号の駆動のもとで動的変化の光信号を同時に生成し、または、
前記複数の照明部は前記第１給電信号の駆動のもとで動的変化の光信号を時間別に生成することを特徴とする、
請求項１に記載の動的照明方法。
【請求項５】
前記照明部は複数の発光体を含み、前記電気パラメータは電流および／または電圧を含み、
前記一つまたは複数の照明部が前記第１給電信号の駆動のもとで動的変化の光信号を生成することは、具体的に、前記一つまたは複数の照明部におけるすべての発光体または一部の発光体が前記第１給電信号の駆動のもとで発光体の発光照度を変更するということであることを特徴とする、
請求項１または４に記載の動的照明方法。
【請求項６】
前記照明部は複数の発光体を含み、前記電気パラメータは電源のオン、オフ状態を含み、
前記一つまたは複数の照明部が前記第１給電信号の駆動のもとで動的変化の光信号を生成することは、具体的に、前記一つまたは複数の照明部における一部の発光体が前記第１給電信号の駆動のもとで点灯または消灯するということであることを特徴とする、
請求項１または４に記載の動的照明方法。
【請求項７】
前記照明部は１種類以上の発光体からなることを特徴とする、
請求項１または４に記載の動的照明方法。
【請求項８】
前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであり、または、
前記動的照明装置の給電出力モジュールは、予め設定された前記照明制御信号に基づいて第１給電信号を出力するということであることを特徴とする、
請求項１に記載の動的照明方法。
【請求項９】
動的照明装置の給電出力モジュールは照明制御信号に基づき、電気パラメータが一組または複数組の動的変化の第１電気パラメータを含む第１給電信号と、電気パラメータが予め設定された一組または複数組の固定または動的変化の第２電気パラメータを含む第２給電信号と、を交互に出力することと、
前記動的照明装置の一つまたは複数の照明部は前記第１給電信号の駆動のもとで動的変化の第１光信号を生成することにより、前記動的照明装置は第１動的変化の照明光を断続的に出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下であることを特徴とする動的変化の照明方法。
【請求項１０】
前記動的照明装置によって出力される第１動的変化の照明光が使用者の眼部に入射することにより、使用者は前記照明光の動的変化を感知し、かつ前記使用者の眼部の構造は前記照明光の第１動的変化に伴って動的に変化することを特徴とする、
請求項９に記載の動的照明方法。
【請求項１１】
前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、
前記第２動的変化とは、具体的に、任意の０．１秒の期間内に、前記第２動的変化の照明光の照度の変化率が０．０２以下であるということであることを特徴とする、
請求項９または１０に記載の動的照明方法。
【請求項１２】
任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続時間の１０％以下であることを特徴とする、
請求項１１に記載の動的照明方法。
【請求項１３】
第１動的変化の照明光の出力時間の長さは、一回で１０秒以下であることを特徴とする、
請求項９または１２に記載の動的照明方法。
【請求項１４】
前記照明光の照度の変化範囲は５ｌｕｘ〜１００００ｌｕｘであることを特徴とする、
請求項９に記載の動的照明方法。
【請求項１５】
前記複数の照明部は前記第１給電信号の駆動のもとで動的変化の第１光信号を同時に生成し、または、
前記複数の照明部は前記第１給電信号の駆動のもとで動的変化の第１光信号を時間別に生成することを特徴とする、
請求項９に記載の動的照明方法。
【請求項１６】
前記照明部は複数の発光体を含み、
前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、
前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということであることを特徴とする、
請求項９または１５に記載の動的照明方法。
【請求項１７】
前記照明部は１種類以上の発光体からなることを特徴とする、
請求項９に記載の動的照明方法。
【請求項１８】
前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということであることを特徴とする、
請求項９に記載の動的照明方法。
【請求項１９】
動的照明装置の給電出力モジュールは照明制御信号に基づき、電気パラメータが一組または複数組の動的変化の第１電気パラメータを含む第１給電信号と、電気パラメータが予め設定された一組または複数組の固定または動的変化の第２電気パラメータを含む第２給電信号と、を交互に出力することと、
前記動的照明装置の一つまたは複数の照明部は前記第１給電信号の駆動のもとで動的変化の第１光信号を生成することにより、前記動的照明装置は第１動的変化の照明光を断続的に出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下であることを特徴とする動的変化の照明方法。
【請求項２０】
前記動的照明装置によって出力される第１動的変化の照明光が使用者の眼部に入射することにより、使用者は前記照明光の動的変化を感知し、かつ前記使用者の眼部の構造は前記照明光の第１動的変化に伴って動的に変化することを特徴とする、
請求項１９に記載の動的照明方法。
【請求項２１】
前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、
前記第２動的変化とは、具体的に、任意の０．１秒の期間内に、前記第２動的変化の照明光の照度の変化率が０．０２以下であるということであることを特徴とする、
請求項１９または２０に記載の動的照明方法。
【請求項２２】
任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続時間の１０％以下であることを特徴とする、
請求項２１に記載の動的照明方法。
【請求項２３】
第１動的変化の照明光の出力時間の長さは、一回で１０秒以下であることを特徴とする、
請求項１９または２２に記載の動的照明方法。
【請求項２４】
前記照明光の照度の変化範囲は５ｌｕｘ〜１００００ｌｕｘであることを特徴とする、
請求項１９に記載の動的照明方法。
【請求項２５】
前記複数の照明部は前記第１給電信号の駆動のもとで動的変化の第１光信号を同時に生成し、または、
前記複数の照明部は前記第１給電信号の駆動のもとで動的変化の第１光信号を時間別に生成することを特徴とする、
請求項１９に記載の動的照明方法。
【請求項２６】
前記照明部は複数の発光体を含み、
前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、
前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということであることを特徴とする、
請求項１９または２５に記載の動的照明方法。
【請求項２７】
前記照明部は１種類以上の発光体からなることを特徴とする、
請求項１９に記載の動的照明方法。
【請求項２８】
前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということであることを特徴とする、
請求項１９に記載の動的照明方法。
【請求項２９】
動的照明装置であって、
照明制御信号に基づき、電気パラメータが一組または複数組の動的変化の電気パラメータを含む第１給電信号を出力するための給電出力モジュールと、
前記第１給電信号の駆動のもとで動的変化の光信号を生成することにより、前記動的照明装置が動的変化の照明光を出力し、かつ前記動的変化の照明光が使用者の眼部に入射することにより、使用者の眼部の構造が前記照明光の動的変化に伴って動的に変化するための一つまたは複数の照明部と、
を含むことを特徴とする動的照明装置。
【請求項３０】
前記照明部は、具体的に、前記第１給電信号の駆動のもとで、任意の０．１秒の期間内に照度の変化率が０．０２以下である照明光を生成することに用いられることを特徴とする、
請求項２９に記載の動的照明装置。
【請求項３１】
前記照明部は、具体的に、前記第１給電信号の駆動のもとで、任意の０．１秒の期間内に色温度の変化が１０Ｋ以下である照明光を生成することに用いられることを特徴とする、
請求項２９に記載の動的照明装置。
【請求項３２】
前記照明部は、具体的に、前記第１給電信号の駆動のもとで、任意の０．１秒の期間内に照度の変化率が０．０２より大きくかつ０．２より小さい照明光を生成することに用いられることを特徴とする、
請求項２９に記載の動的照明装置。
【請求項３３】
前記給電出力モジュールは、前記第１給電信号と交互に出力される第２給電信号を照明制御信号に基づいて出力することにさらに用いられ、
前記一つまたは複数の照明部は、前記第２給電信号の駆動のもとで定常または動的変化の第２光信号を生成することにより、前記動的照明装置が第１動的変化の照明光を断続的に出力する断続時間内に、定常または第２動的変化の照明光を出力することにさらに用いられ、
前記第２動的変化とは、具体的に、任意の０．１秒の期間内に、前記第２動的変化の照明光の照度の変化率が０．０２以下であるということであることを特徴とする、
請求項３２に記載の動的照明装置。
【請求項３４】
前記複数の照明部は、具体的に、前記第１給電信号の駆動のもとで動的変化の光信号を同時に生成すること、または前記第１給電信号の駆動のもとで動的変化の光信号を時間別に生成することに用いられることを特徴とする、
請求項２９に記載の動的照明装置。
【請求項３５】
前記照明部は、１種類または複数の種類の複数の発光体を含み、前記電気パラメータは、電流および／または電圧を含み、
すべての発光体または一部の発光体は、前記第１給電信号の駆動のもとで発光体の発光照度または色温度を変更することを特徴とする、
請求項２９に記載の動的照明装置。
【請求項３６】
前記照明部は、１種類または複数の種類の複数の発光体を含み、前記電気パラメータは、電源のオン、オフ状態を含み、
前記一部の発光体は前記第１給電信号の駆動のもとで点灯または消灯することを特徴とする、
請求項２９に記載の動的照明装置。
【請求項３７】
電源入力用接続口をさらに含み、
前記電源入力用接続口の出力端は、給電出力モジュールの入力端に接続され、前記電源入力用接続口は外部電源を前記動的照明装置に接続することに用いられることを特徴とする、
請求項２９に記載の動的照明装置。
【請求項３８】
前記給電出力モジュールに接続される記憶装置をさらに含み、
前記記憶装置は照明制御信号を記憶することに用いられ、
前記給電出力モジュールは前記記憶装置に記憶される前記照明制御信号を取得することを特徴とする、
請求項２９に記載の動的照明装置。
【請求項３９】
前記給電出力モジュールに接続される入力装置をさらに含み、
前記入力装置はユーザが入力した照明制御指令を受信し、前記照明制御指令に基づいて前記照明制御信号を生成し、かつ前記給電出力モジュールに送信することを特徴とする、
請求項２９に記載の動的照明装置。
【発明の詳細な説明】
【技術分野】
【０００１】
本発明は２０１６年７月２８日に中国特許庁に提出された出願番号が２０１６１０６１５６４１．７で、発明の名称が「動的照明方法」である中国特許出願、出願番号が２０１６１０６１７０３７．８で、発明の名称が「動的変化の照明方法」である中国特許出願、出願番号が２０１６１０６１５６５６．３で、発明の名称が「色温度可変な動的照明方法」である中国特許出願および出願番号が２０１６１０６０９５９２．６で、発明の名称が「動的照明装置」である中国特許出願の優先権を主張する。
【０００２】
技術分野
本発明は照明技術の分野に関し、特に動的照明方法および装置に関する。
【背景技術】
【０００３】
視覚の健康は、人々が共通に関心を持つ重要な課題となった。２０１５年６月に北京大学中国健康発展研究センターが発表した『国民視覚健康白書』の研究によると、２０１２年の中国における５歳以上の総人口のうち、中国の近視患者および遠視患者の多くは学生と会社員である。近視患者および遠視患者の数は約５億であり、そのうち近視の総患者数は約４．５億である。
【０００４】
現在、よく使用されている照明装置は、通常、一段または複数段の固定の照度、光強度、色温度などの１種または限られた選択可能な複数種の照明パラメータしか提供できない。無論、手動による照明パラメータのリニア調整をサポートする装置もある。しかし、調光可能な照明装置であっても、人為的な操作によって調光制御を行って、光強度、色温度などを変更するものに過ぎない。一方、使用者は通常、使用過程において自ら頻繁に照明装置に対して調光操作を行うことはない。したがって、既存の調光可能な照明装置でも、調光不可能な照明装置でも、実際の使用では往々に単一の照明パラメータのもとで使用者に照明を提供している。
【０００５】
しかし、単一の照明パラメータでは、瞳孔、毛様体筋および水晶体を含む人の眼部の構造はいずれも長期間にわたって同じ状態にあるので、目の視覚疲労を起こし、それにより視覚の健康に影響を与えてしまう。
【発明の概要】
【発明が解決しようとする課題】
【０００６】
本発明は、動的照明装置が動的変化の照明光を出力するように、照明部の発光を制御する電気パラメータを自動で動的に変更することができ、照明光が使用者の眼部に入射することにより、使用者の眼部の生理的構造も照明光の変化に応じて対応的に変化し、それによりユーザが長期的に目を使うことで視覚疲労を起こしやすいという問題を効果的に解決し、照明光の動的変化率を合理的に制御することにより、使用者本人は光の変化を主観的に感知できず、使用者の正常な使用に影響を与えないと同時に、使用者の視覚的健康を守ることができる動的照明方法および装置を提供することを目的とする。
【課題を解決するための手段】
【０００７】
上記目的を達成するために、第１形態では、本発明は、
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで動的変化の光信号を生成することにより、前記動的照明装置は動的変化の照明光を出力することと、
を含み、
任意の０．１秒の期間内に、前記照明光の照度の変化率は０．０２以下であり、かつ、前記動的照明装置によって出力される照明光の照度の最小値と最大値との比は５０％以下である動的照明方法を提供する。
【０００８】
好ましくは、前記動的照明装置によって出力される動的変化の照明光が使用者の眼部に入射することにより、使用者の眼部の構造は前記照明光の動的変化に伴って動的に変化する。
【０００９】
好ましくは、前記動的変化の照明光の照度の変化範囲は５０ｌｕｘ〜１００００ｌｕｘである。
【００１０】
好ましくは、前記複数の照明部は前記第１給電信号の駆動のもとで動的変化の光信号を同時に生成し、または、
前記複数の照明部は前記第１給電信号の駆動のもとで動的変化の光信号を時間別に生成する。
【００１１】
好ましくは、前記照明部は複数の発光体を含み、前記電気パラメータは電流および／または電圧を含み、
前記一つまたは複数の照明部が前記第１給電信号の駆動のもとで動的変化の光信号を生成することは、具体的に、前記一つまたは複数の照明部におけるすべての発光体または一部の発光体が前記第１給電信号の駆動のもとで発光体の発光照度を変更するということである。
【００１２】
好ましくは、前記照明部は複数の発光体を含み、前記電気パラメータは電源のオン、オフ状態を含み、
前記一つまたは複数の照明部が前記第１給電信号の駆動のもとで動的変化の光信号を生成することは、具体的に、前記一つまたは複数の照明部における一部の発光体が前記第１給電信号の駆動のもとで点灯または消灯するということである。
【００１３】
好ましくは、前記照明部は１種類以上の発光体からなる。
【００１４】
好ましくは、前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであり、または、
前記動的照明装置の給電出力モジュールは、予め設定された前記照明制御信号に基づいて第１給電信号を出力するということである。
【００１５】
第２形態では、本発明の実施例は、
動的照明装置の給電出力モジュールは照明制御信号に基づき、電気パラメータが一組または複数組の動的変化の第１電気パラメータを含む第１給電信号と、電気パラメータが予め設定された一組または複数組の固定または動的変化の第２電気パラメータを含む第２給電信号と、を交互に出力することと、
前記動的照明装置の一つまたは複数の照明部は前記第１給電信号の駆動のもとで動的変化の第１光信号を生成することにより、前記動的照明装置は第１動的変化の照明光を断続的に出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下である動的変化の照明方法を提供する。
【００１６】
好ましくは、前記動的照明装置によって出力される第１動的変化の照明光が使用者の眼部に入射することにより、使用者は前記照明光の動的変化を感知し、かつ前記使用者の眼部の構造は前記照明光の第１動的変化に伴って動的に変化する。
【００１７】
好ましくは、前記方法は、前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、
前記第２動的変化とは、具体的に、任意の０．１秒の期間内に、前記第２動的変化の照明光の照度の変化率が０．０２以下であるということである。
【００１８】
好ましくは、任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続間隔時間の１０％以下である。
【００１９】
好ましくは、第１動的変化の照明光の出力時間の長さは、一回で１０秒以下である。
【００２０】
好ましくは、前記照明光の照度の変化範囲は５ｌｕｘ〜１００００ｌｕｘである。
【００２１】
好ましくは、前記複数の照明部は前記第１給電信号の駆動のもとで動的変化の第１光信号を同時に生成し、または、
前記複数の照明部は前記第１給電信号の駆動のもとで動的変化の第１光信号を時間別に生成する。
【００２２】
好ましくは、前記照明部は複数の発光体を含み、
前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、
前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということである。
【００２３】
好ましくは、前記照明部は１種類以上の発光体からなる。
【００２４】
好ましくは、前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということである。
【００２５】
第３形態では、本発明の実施例は、
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで色温度が動的に変化する光信号を生成することにより、前記動的照明装置は色温度が動的に変化する照明光を出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下である色温度可変な動的照明方法を提供する。
【００２６】
好ましくは、前記動的照明装置によって出力される第１動的変化の照明光が使用者の眼部に入射することにより、使用者は前記照明光の動的変化を感知し、前記使用者の眼部の構造は前記照明光の第１動的変化に伴って動的に変化する。
【００２７】
好ましくは、前記方法は、前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、
前記第２動的変化とは、具体的に、任意の０．１秒の期間内に、前記第２動的変化の照明光の照度の変化率が０．０２以下であるということである。
【００２８】
好ましくは、任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続時間の１０％以下である。
【００２９】
好ましくは、第１動的変化の照明光の出力時間の長さは、一回で１０秒以下である。
【００３０】
好ましくは、前記照明光の照度の変化範囲は５ｌｕｘ〜１００００ｌｕｘである。
【００３１】
好ましくは、前記複数の照明部は前記第１給電信号の駆動のもとで動的変化の第１光信号を同時に生成し、または、
前記複数の照明部は前記第１給電信号の駆動のもとで動的変化の第１光信号を時間別に生成する。
【００３２】
好ましくは、前記照明部は複数の発光体を含み、
前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、
前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということである。
【００３３】
好ましくは、前記照明部は１種類以上の発光体からなる。
【００３４】
好ましくは、前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということである。
【００３５】
第４形態では、本発明の実施例は、
照明制御信号に基づき、電気パラメータが一組または複数組の動的変化の電気パラメータを含む第１給電信号を出力するための給電出力モジュールと、
前記第１給電信号の駆動のもとで動的変化の光信号を生成することにより、前記動的照明装置が動的変化の照明光を出力し、かつ前記動的変化の照明光が使用者の眼部に入射することにより、使用者の眼部の構造が前記照明光の動的変化に伴って動的に変化するための一つまたは複数の照明部と、
を含む動的照明装置を提供する。
【００３６】
好ましくは、前記照明部は、具体的に、前記第１給電信号の駆動のもとで、任意の０．１秒の期間内に照度の変化率が０．０２以下である照明光を生成することに用いられる。
【００３７】
好ましくは、前記照明部は、具体的に、前記第１給電信号の駆動のもとで、任意の０．１秒の期間内に色温度の変化が１０Ｋ以下である照明光を生成することに用いられる。
【００３８】
好ましくは、前記照明部は、具体的に、前記第１給電信号の駆動のもとで、任意の０．１秒の期間内に照度の変化率が０．０２より大きくかつ０．２より小さい照明光を生成することに用いられる。
【００３９】
さらに好ましくは、前記給電出力モジュールは、前記第１給電信号と交互に出力される第２給電信号を照明制御信号に基づいて出力することにさらに用いられ、
前記一つまたは複数の照明部は、前記第２給電信号の駆動のもとで定常または動的変化の第２光信号を生成することにより、前記動的照明装置が第１動的変化の照明光を断続的に出力する断続時間内に、定常または第２動的変化の照明光を出力することにさらに用いられ、
前記第２動的変化とは、具体的に、任意の０．１秒の期間内に、前記第２動的変化の照明光の照度の変化率が０．０２以下であるということである。
【００４０】
好ましくは、前記複数の照明部は、具体的に、前記第１給電信号の駆動のもとで動的変化の光信号を同時に生成すること、または前記第１給電信号の駆動のもとで動的変化の光信号を時間別に生成することに用いられる。
【００４１】
好ましくは、前記照明部は、１種類または複数の種類の複数の発光体を含み、前記電気パラメータは、電流および／または電圧を含み、
すべての発光体または一部の発光体は、前記第１給電信号の駆動のもとで発光体の発光照度または色温度を変更する。
【００４２】
好ましくは、前記照明部は、１種類または複数の種類の複数の発光体を含み、前記電気パラメータは、電源のオン、オフ状態を含み、
前記一部の発光体は前記第１給電信号の駆動のもとで点灯または消灯する。
【００４３】
好ましくは、前記装置は電源入力用接続口をさらに含み、
前記電源入力用接続口の出力端は、給電出力モジュールの入力端に接続され、前記電源入力用接続口は外部電源を前記動的照明装置に接続することに用いられる。
【００４４】
好ましくは、前記装置は前記給電出力モジュールに接続される記憶装置をさらに含み、
前記記憶装置は照明制御信号を記憶することに用いられ、
前記給電出力モジュールは前記記憶装置に記憶される前記照明制御信号を取得する。
【００４５】
好ましくは、前記装置は前記給電出力モジュールに接続される入力装置をさらに含み、
前記入力装置はユーザが入力した照明制御指令を受信し、前記照明制御指令に基づいて前記照明制御信号を生成し、かつ前記給電出力モジュールに送信する。
【００４６】
本発明の実施例に係る動的照明方法によれば、動的照明装置が動的変化の照明光を出力するように、照明部の発光を制御する電気パラメータを自動で動的に変更することができ、照明光が使用者の眼部に入射することにより、使用者の眼部の生理的構造も照明光の変化に応じて対応的に変化し、それによりユーザが長期的に目を使うことで視覚疲労を起こしやすいという問題を効果的に解決し、使用者の視覚的健康を守ることができる。
【図面の簡単な説明】
【００４７】
【図１】図１は本発明の実施例１に係る動的照明方法のフローチャートである。
【図２】図２は本発明の実施例２に係る動的変化の照明方法のフローチャートである。
【図３】図３は本発明の実施例３に係る色温度可変な動的照明方法のフローチャートである。
【図４】図４は本発明の実施例４に係る動的照明装置の構造概略図である。
【図５】図５は本発明の実施例に係る動的照明装置の構造概略図である。
【図６】図６は本発明の実施例に係る別の動的照明装置の構造概略図である。
【図７】図７は本発明の実施例に係るさらに別の動的照明装置の構造概略図である。
【発明を実施するための形態】
【００４８】
以下、図面および実施例に基づき、本発明の技術案をさらに詳しく説明する。
【００４９】
本発明の実施例によって提案された動的照明方法をよりよく理解するため、まず人の目の構造が光の変化に伴って変化する原理を説明する。
【００５０】
人の目に入射する光の照度、色温度、光強度、光束、角度などのパラメータが変化すると、人の目の虹彩は光の変化に伴って瞳孔の大きさを主動的に調整することにより、光束を制御する。虹彩の動きは毛様体筋を動かし、毛様体筋の動きも水晶体を動かすことにより、視野内のいわゆる「視覚系三連動」が生じる。前記虹彩、毛様体筋および水晶体の連動運動は目の生理的構造、すなわち、虹彩、毛様体筋および水晶体の形状および／またはサイズを変化させる。
【００５１】
本発明の実施例の動的照明方法は上記原理に基づくものである。
【００５２】
図１は本実施例１に係る動的照明方法のフローチャートであり、図１に示すように、動的照明方法は以下のステップを含み、即ち、
ステップ１１０：動的照明装置の給電出力モジュールは、照明制御信号に基づいて第１給電信号を出力する。
【００５３】
具体的には、動的照明装置の給電出力モジュールは、照明部に駆動電源信号を提供するためのモジュールである。駆動電源信号を第１給電信号として規定し、第１給電信号の電気パラメータは一組または複数組の動的変化の電気パラメータを含む。複数組の電気パラメータである場合、複数組の電気パラメータは多回路に分けて出力される。
【００５４】
電気パラメータは、具体的に、電流および電圧であってもよく、電圧の電圧値、変化率、電流の大きさ、変化率などを含み、あるいは電圧と電流のいずれかであってもよく、さらに給電出力モジュールの出力のオン、オフ状態であってもよい。
【００５５】
給電出力モジュールは第１給電信号を出力し、使用者の入力コマンドに基づいて出力されてもよく、予め設定されたものに基づいて出力されてもよい。
【００５６】
第１形態では、給電出力モジュールは、ユーザが入力した照明制御指令を受信し、照明制御信号を生成し、かつ照明制御信号に基づいて第１給電信号を出力することができる。
【００５７】
ユーザが入力した照明制御指令を受信することは、具体的に、有線または無線方式によって実現できる。
【００５８】
例えば、動的照明装置に設置された照明モード選択ボタンに対するユーザのタッチに感知することによって、または無線伝送を介してユーザが遠隔制御装置を操作することによる照明制御指令の遠隔入力を受信する。
【００５９】
第２形態では、動的照明装置の給電出力モジュールは、予め設定された照明制御信号に基づいて第１給電信号を出力する。
【００６０】
予め設定された照明制御信号は、動的照明装置の記憶装置に記憶され、給電出力モジュールによって記憶装置から読み取られ取得されることができる。記憶装置は、ＲＯＭチップまたは如何なる他のタイプの不揮発性固体半導体記憶装置でもよい。予め設定された照明制御信号を記憶装置に書き込む方式は、有線による入力方式によって実現することができ、さらに例えば赤外線接続口、ブルートゥース接続口、ＵＳＢ接続口などの記憶装置に接続される接続口によって実現することもできる。
【００６１】
ステップ１２０：動的照明装置の一つまたは複数の照明部は、前記第１給電信号の駆動のもとで動的変化の光信号を生成することにより、前記動的照明装置は動的変化の照明光を出力する。
【００６２】
具体的には、動的照明装置における照明部は一つでも複数でもよく、給電出力モジュールに接続される。複数の場合、複数の照明部が同じ組の電気パラメータによって駆動制御されることができ、複数の照明部がそれぞれ複数出力される複数組の電気パラメータによって駆動制御されることもできる。したがって、複数の照明部は第１給電信号の駆動のもとで動的変化の光信号を同時に生成することができ、動的変化の光信号を時間別に生成することもできる。
【００６３】
さらに、各照明部のいずれにも１個以上の発光体が含まれ、これらの発光体は第１給電信号の駆動のもとで点灯または消灯したり、その発光照度を変化させたりすることにより、全体的に各照明部の光信号の出力の変化に影響を与える。
【００６４】
複数の照明部のそれぞれに出力される給電信号について、該照明部におけるすべての発光体に同じ組の電気パラメータを出力してもよく、一部の発光体に一組の電気パラメータを出力し、別の一部の発光体に別の組の電気パラメータを出力してもよい、つまり、本実施例に係る方法では、照明部、発光体に対していずれも独立に制御することができる。
【００６５】
具体的な例では、照明部におけるすべての発光体または一部の発光体に出力される電流および電圧、またはそれらのいずれかを動的に変更することでこれらの発光体の発光照度を変更することにより、照明部によって出力される光信号の動的変化を実現できる。
【００６６】
好ましい実施例では、照明部におけるすべての発光体、例えば２００個のＬＥＤに動的変化の電流の入力を提供することにより、出力される光信号の動的変化を実現できる。例えば、まず初期電流を入力して照明部を駆動することにより、動的照明装置における２００個のＬＥＤがすべて点灯される。次に、動的照明の過程では、０．１秒ごとに各発光体に対して初期電流の１％の入力電流を増やすことにより、動的変化の光信号を出力するように発光体を駆動する。電流が継続的に増加する継続時間が１０秒であると設定することにより、照明部によって出力される光信号が該継続時間内に動的に増加してくる。照度の変化が電流の変化に比例すると仮定すると、１０秒内に出力される光信号の照度は動的に１００％と増加する。その後、０．１秒ごとに各発光体に対して初期電流の１％の入力電流を減らすことにより、動的変化の光信号を出力するように発光体を駆動する。電流が継続的に減少する継続時間が１０秒であると設定することにより、照明部によって出力される光信号は該継続時間内に動的に減少していく。照度の変化が電流の変化に比例すると仮定すると、１０秒内に出力される光信号の照度は動的に５０％と減少する。
【００６７】
別の具体的な例では、照明部における一部の発光体に対する出力モジュールの給電出力を動的にオンまたはオフすることによって実現できる。
【００６８】
好ましい実施例では、照明部には２００個の独立する発光体が含まれ、各発光体の電源入力はいずれも独立にオン・オフ制御される。まず、給電信号によりそのうちの１００個の発光体をオンにするように制御し、動的照明装置の点灯を起動する。次に、動的照明の過程に入り、すべての発光体が点灯するまでに０．１秒ごとに一つの発光体の点灯を増やす。その後、０．１秒ごとに３個の発光体をオフにするように制御し、継続時間は１秒であり、さらに、０．１秒ごとに２個の発光体をオフにするように制御し、継続時間は２秒であり、その後、１００個に減少するまでに０．１秒ごとに１個の発光体をオフにするように制御する。上記動的過程を繰り返すことにより、照明部によって出力される光信号の動的変化を実現することもできる。
【００６９】
上記に例示した変化は、発光体の光信号の出力の変化量を固定比率で徐々に増加または減少するものであってもよいし、発光体の光信号の出力の変化量を非固定比率で動的に変更するものであってもよい。
【００７０】
照明部に対して独立または統一的に制御するか、または発光体に対して独立または統一に制御するかにかかわらず、使用者の照明装置に対する正常な使用要求に影響しないため、第１給電信号は動的変化の光信号を生成するように照明部を駆動し、動的照明装置によって出力される全体的な照明光の照度の変化率が、任意の０．１秒の期間内に０．０２以下である。
【００７１】
このように設定する根拠は、目が視覚惰性を有することであり、すなわち、光学像がいったん網膜に形成されると、視覚ではその光学像に対する感覚は限られた時間内に存続し、このような生理的現象は視覚残像と呼ばれる。異なる環境における異なる輝度によって、視覚残像時間の長さは相違し、輝度が高ければ高いほど、視覚残像時間は短くなる。一方、照明装置の使用環境について、中程度の輝度の環境では、視覚残像時間は約０．１〜０．４秒である。したがって、０．１秒の時間範囲内で、各視覚残像時間内の光の変化がいずれも微小であると保証するように照度の変化率を０．０２以下に設定することによって、照明装置の使用者が照明光の変化を感知できない、よって、使用者の正常な使用に何らかの影響を与えない。
【００７２】
照明に対するニーズを満たすために、照度の変化は一定の範囲内にある必要がある。本例では、照度の変化範囲が５０ｌｕｘ〜１００００ｌｕｘであると規定する。
【００７３】
さらに、使用者の眼部の生理的構造が照明光によって変化するという目的を達成するために、照明光の照度の変化量も一定の比率に達する必要があり、出力される照明光の照度の最小値と最大値との比が５０％以下であることを満たす必要がある。
【００７４】
具体的な実施の形態では、照度の変化は動的であり、異なる動的変化の期間内に、照度は継続的に増強するかまたは継続的に弱化してもよく、波状的に増強するかまたは波状的に弱化してもよい。
【００７５】
言い換えれば、出力される照明光の照度の変化が増強する（継続的に増強するまたは波状的に増強することを含む）動的変化の期間内に、照度の上昇変化率は１００％以上であり、出力される照明光の照度の変化が弱化する（継続的に弱化するまたは波状的に弱化することを含む）動的変化の期間内に、照度の下降変化率は５０％以上である。
【００７６】
無論、出力される照明光の照度の動的変化は、第１給電信号の変化と直接関連するので、制御信号によって設定できるものである。好ましい実施の形態では、動的変化を規則的な変化として設定できる。
【００７７】
さらに、一つの照明部に含まれる発光体は、同じ種類でもよく、異なる種類でもよい。例えば、一つの照明部に黄色ＬＥＤと白色ＬＥＤを同時に設置できる。
【００７８】
ステップ１３０：動的照明装置によって出力される動的変化の照明光が使用者の眼部に入射することにより、使用者の眼部の構造は照明光の動的変化に伴って動的に変化する。
【００７９】
前記ステップ１１０およびステップ１２０で生成される動的変化の照明光は、動的照明装置の使用者の眼部に入射することにより、虹彩、毛様体筋および水晶体を含む使用者の眼部の構造のうちの一つまたは複数は、照明光の動的変化に伴って動的に変化する。かつ、視覚残像時間内の照度変化率に対する合理的な設定により、使用者は照明光の動的変化を主観的に感知できないため、使用者の正常な使用には何らかの影響を与えない。
【００８０】
本発明の実施例に係る動的照明方法によれば、動的照明装置が動的変化の照明光を出力するように、照明部の発光を制御する電気パラメータを自動で動的に変更することができ、照明光が使用者の眼部に入射することにより、使用者の眼部の生理的構造も照明光の変化に応じて対応的に変化し、それによりユーザが長期的に目を使うことで視覚疲労を起こしやすいという問題を効果的に解決でき、照明光の動的変化率を合理的に制御することにより、使用者本人は光の変化を主観的に感知できず、使用者の正常な使用に影響を与えないと同時に、長期的に目を使うことで視覚疲労を起こしやすいという問題を効果的に解決し、使用者の視覚的健康を守る。
【００８１】
図２は、本実施例２に係る動的変化の照明方法のフローチャートであり、図２に示すように、動的変化の照明方法は以下のステップを含み、即ち、
ステップ２１０：動的照明装置の給電出力モジュールは、照明制御信号に基づいて第１給電信号および第２給電信号を交互に出力する。
【００８２】
具体的には、動的照明装置の給電出力モジュールは、照明部に駆動電源信号を提供するためのモジュールである。駆動電源信号は第１給電信号および第２給電信号を含み、二種類の給電信号は交互に出力される。交互とは規則的でも不規則的でもよく、またはランダムでもよい。第１給電信号の電気パラメータは一組または複数組の動的変化の第１電気パラメータを含み、第２給電信号の電気パラメータは予め設定された一組または複数組の固定または動的変化の第２電気パラメータを含む。複数組の電気パラメータである場合、複数組の電気パラメータは多回路に分けて出力される。好ましくは、第１給電信号の出力時間の長さは一回で１０秒以下である。
【００８３】
前記電気パラメータは、具体的に、電流および電圧であってもよく、電圧の電圧値、変化率、電流の大きさ、変化率などを含み、あるいは電圧と電流のいずれかであってもよく、さらに給電出力モジュールの出力のオン、オフ状態であってもよい。
【００８４】
給電出力モジュールは第１給電信号および第２給電信を交互に出力し、使用者の入力コマンドに基づいて出力されてもよく、予め設定されたものに基づいて出力されてもよい。
【００８５】
第１形態では、給電出力モジュールは、ユーザが入力した照明制御指令を受信し、照明制御信号を生成し、かつ照明制御信号に基づいて第１給電信号および第２給電信号を交互に出力することができる。
【００８６】
ユーザが入力した照明制御指令を受信することは、具体的に、有線または無線方式によって実現できる。
【００８７】
例えば、動的照明装置に設置された照明モード選択ボタンに対するユーザのタッチに感知することによって、または無線伝送を介してユーザが遠隔制御装置を操作することによる照明制御指令の遠隔入力を受信する。
【００８８】
第２形態では、動的照明装置の給電出力モジュールは、予め設定された照明制御信号に基づいて第１給電信号および第２給電信号を交互に出力する。
【００８９】
予め設定された照明制御信号は、動的照明装置の記憶装置に記憶され、給電出力モジュールによって記憶装置から読み取られ取得されることができる。記憶装置は、ＲＯＭチップまたは如何なる他のタイプの不揮発性固体半導体記憶装置でもよい。予め設定された照明制御信号を記憶装置に書き込む方式は、有線による入力方式によって実現することができ、さらに例えば赤外線接続口、ブルートゥース接続口、ＵＳＢ接続口などの記憶装置に接続される接続口によって実現することもできる。
【００９０】
ステップ２２０：動的照明装置の一つまたは複数の照明部は、前記第１給電信号の駆動のもとで動的変化の光信号を生成することにより、動的照明装置は第１動的変化の照明光を断続的に出力する。
【００９１】
具体的には、動的照明装置における照明部は一つでも複数でもよく、給電出力モジュールに接続される。複数の場合、複数の照明部が同じ組の電気パラメータによって駆動制御されることができ、複数の照明部がそれぞれ複数出力される複数組の電気パラメータによって駆動制御されることもできる。したがって、複数の照明部は第１給電信号の駆動のもとで第１動的変化の光信号を同時に生成することができ、第１動的変化の光信号を時間別に生成することもできる。
【００９２】
動的照明装置の一つまたは複数の照明部が第２給電信号の駆動のもとで定常または動的変化の第２光信号を生成することにより、動的照明装置は第１動的変化の照明光を断続的に出力する断続時間内に、定常または第２動的変化の照明光を出力する。
【００９３】
さらに、各照明部のいずれにも１個以上の発光体が含まれ、これらの発光体は第１給電信号の駆動のもとで点灯または消灯したり、その発光照度を変化させたりすることにより、全体的に各照明部の光信号の出力の変化に影響を与える。
【００９４】
複数の照明部のそれぞれに出力される給電信号について、該照明部におけるすべての発光体に同じ組の電気パラメータを出力してもよく、一部の発光体に一組の電気パラメータを出力し、別の一部の発光体に別の組の電気パラメータを出力してもよい、つまり、本実施例に係る方法では、照明部、発光体に対していずれも独立に制御することができる。
【００９５】
以下、まず第１動的変化の照明光の出力時間帯について詳しく説明する。
【００９６】
具体的な例では、照明部におけるすべての発光体または一部の発光体に出力される電流および電圧、またはそれらのいずれかを動的に変更することでこれらの発光体の発光照度を変更することにより、照明部によって出力される第１光信号の第１動的変化を実現できる。
【００９７】
好ましい実施例では、照明部におけるすべての発光体、例えば２００個のＬＥＤに動的変化の電流の入力を提供することにより、出力される光信号の動的変化を実現できる。例えば、まず初期電流を入力して照明部を駆動することにより、動的照明装置における２００個のＬＥＤがすべて点灯される。次に、動的照明の過程では、０．１秒ごとに各発光体に対して初期電流の５％の入力電流を増やすことにより、動的変化の光信号を出力するように発光体を駆動する。電流が継続的に増加する継続時間が２秒であると設定することにより、照明部によって出力される第１光信号が該継続時間内に動的に増加してくる。照度の変化が電流の変化に比例すると仮定すると、２秒内に出力される第１光信号の照度は動的に１００％と増加する。その後、０．１秒ごとに各発光体に対して初期電流の５％の入力電流を減らすことにより、動的変化の光信号を出力するように発光体を駆動する。電流が継続的に減少する継続時間が２秒であると設定することにより、照明部によって出力される光信号は該継続時間内に動的に減少していく。照度の変化が電流の変化に正比例すると仮定すると、２秒内に出力される光信号の照度は動的に５０％と減少する。
【００９８】
別の具体的な例では、照明部における一部の発光体に対する出力モジュールの給電出力を動的にオンまたはオフすることによって実現できる。
【００９９】
好ましい実施例では、照明部には２００個の独立する発光体が含まれ、各発光体の電源入力はいずれも独立にオン・オフ制御される。まず、給電信号によりそのうちの１００個の発光体をオンにするように制御し、動的照明装置の点灯を起動する。次に、動的照明の過程に入り、すべての発光体が点灯するまでに０．１秒ごとに１０個の発光体の点灯を増やす。その後、１００個に減少するまでに０．１秒ごとに２０個の発光体をオフにするように制御する。発光体をオン・オフにする過程を繰り返すことにより、照明部によって出力される第１光信号の第１動的変化を実現することもできる。
【０１００】
上記に例示した変化は、発光体の光信号の出力の照度変化量を固定比率で徐々に増加または減少するものであってもよいし、発光体の光信号の出力の照度変化量を非固定比率で動的に変更するものであってもよい。
【０１０１】
照明部に対して独立または統一的に制御するか、または発光体に対して独立または統一に制御するかにかかわらず、第１動的変化の照明光の出力期間内に、使用者が光の変化を感知できるように、使用者の眼部の視覚システムを訓練するため、照明部では各第１動的変化の期間内に、その全体の光信号出力による動的照明装置の出力する照明光の照度の変化率が、任意の０．１秒の期間内に０．０２より大きくかつ０．２より小さい必要がある。
【０１０２】
このように設定する根拠は、目が視覚惰性を有することであり、すなわち、光学像がいったん網膜に形成されると、視覚ではその光学像に対する感覚は限られた時間内に存続し、このような生理的現象は視覚残像と呼ばれる。異なる環境における異なる輝度によって、視覚残像時間の長さは相違し、輝度が高ければ高いほど、視覚残像時間は短くなる。一方、照明装置の使用環境について、中程度の輝度の環境では、視覚残像時間は約０．１〜０．４秒である。したがって、０．１秒の時間範囲内で、照度の変化率を０．０２より大きくかつ０．２未満に設定することによって、各視覚残像時間内の光の変化が使用者に感知されることが保証でき、しかも大きく変化することで使用者に不快感を与え、ひいては視覚的損傷を引き起こすことがないと保証できる。
【０１０３】
感知できるほどの断続的出力の効果に達成するために、第１動的変化の照明光を断続的に出力する断続時間内に、定常または第２動的変化の照明光を出力する。そのうち、第２動的変化の照明光を出力する技術案を採用すると、第２動的変化の照明光の出力期間内に、使用者が光の変化を感知できないため、その全体の光信号出力による動的照明装置の出力する照明光の照度の変化率が、任意の０．１秒の期間内に０．０２以下である必要がある。
【０１０４】
同じ原理に基づき、０．１秒の時間範囲内に、照度の変化率を０．０２以下に設定することにより、各視覚残留時間内の光の変化がいずれも微小であり、使用者が感知できないと保証する。
【０１０５】
このように、ユーザが出力される照明光の動的変化を断続的に感知できることを実現する。
【０１０６】
表１には、１００秒にわたる照明出力の例が示されている。照度の変化率は異なる時間帯では異なり、対応的には、照度の変化はユーザによって感知されることも感知されないこともあることが分かる。
【０１０７】
【表１】
2019526160.tif 000003
【０１０８】
照明応用のニーズに応じて、出力される照明光の照度の変化も一定の範囲内にある必要があり、通常、本実施例に係る動的照明装置の使用環境はいずれも室内であるため、本例では、照度の変化範囲が５ｌｕｘ〜１００００ｌｕｘであると規定する。
【０１０９】
さらに、照明光によって使用者の眼部の生理的構造を変化させるという目的に達成するために、照明光の照度変化量も一定の比率に達する必要がある。少なくともユーザが動的に変化していると感知できる照明光の出力時間帯には、出力される照明光の照度の最小値と最大値との比が５０％以下であることを満たす必要がある。
【０１１０】
具体的な実施の形態では、照度の変化は動的であり、各動的変化の期間内に、照度は継続的に増強するかまたは継続的に弱化してもよく、波状的に増強するかまたは波状的に弱化してもよい。
【０１１１】
言い換えれば、出力される照明光の照度の変化が増強する（継続的に増強するまたは波状的に増加することを含む）動的変化の期間内に、照度の上昇変化率は１００％以上であり、出力される照明光の照度の変化が弱化する（継続的に弱化するまたは波状的に弱化することを含む）動的変化の期間内に、照度の下降変化率は５０％以上である。
【０１１２】
無論、出力される照明光の照度の第１動的変化は、第１給電信号の変化と直接関連するので、制御信号によって設定できるものである。好ましい実施の形態では、動的変化を規則的な変化として設定できる。
【０１１３】
良い視覚訓練効果を達成するために、動的に変化していると感知可能な照明光の出力時間の長さが一回で１０秒以下であると規定する。かつ隣接して出力される動的に変化していると感知可能な照明光と動的に変化していると感知不可能な照明光について、動的に変化していると感知可能な照明光の出力時間の長さは、いずれも動的に変化していると感知不可能な照明光の出力時間の長さの１０％以下である。
【０１１４】
例えば、具体的な例では、動的照明装置は、ある設定モードで動的変化の照明光および定常の照明光を交互に出力し、毎回動的変化の照明光を出力する時間の長さは２秒であり、毎回定常の照明光を出力する時間の長さは２５秒である。
【０１１５】
さらに、一つの照明部に含まれる発光体は、同じ種類でもよく、異なる種類でもよい。例えば、一つの照明部に黄光ＬＥＤと白光ＬＥＤを同時に設置できる。
【０１１６】
ステップ２３０：動的照明装置によって出力される第１動的変化の照明光が使用者の眼部に入射することにより、使用者は前記照明光の動的変化を感知し、かつ前記使用者の眼部の構造は前記照明光の第１動的変化に伴って動的に変化する。
【０１１７】
上記ステップ２１０およびステップ２２０で生成される交互に出力される動的に変化していると感知不可能な照明光および動的に変化していると感知可能な照明光について、照明光の動的変化により、虹彩、毛様体筋および水晶体を含む使用者の眼部の構造のうちの一つまたは複数が照明光の動的変化に伴って動的に変化し、ユーザが長期的に目を使うことで視覚疲労を起こしやすいという問題を効果的に解決できる。かつ照度変化率に対する合理的な設定により、使用者は照明光の断続的な動的変化を主観的に感知でき、視覚システムの訓練にも適用できる。
【０１１８】
本発明の実施例に係る動的変化の照明方法によれば、照明部の発光を制御する電気パラメータを自動で動的に変更することができ、動的照明装置は動的に変化していると感知可能な照明光と変化していると感知不可能な照明光を交互に出力し、照明光が使用者の眼部に入射ことにより、使用者の眼部の生理的構造も照明光の変化に応じて対応的に変化し、それによりユーザが長期的に目を使うことで視覚疲労を起こしやすいという問題を効果的に解決し、使用者の視覚的健康を守ることができ、照明光の動的変化率を合理的に制御することにより、使用者本人が主観的に光の変化を断続的に感知でき、ひいては視覚システムの訓練に適用できる。
【０１１９】
図３は、本実施例３に係る動的照明方法のフローチャートであり、図３に示すように、動的照明方法は、以下のステップを含み、即ち、
ステップ３１０：動的照明装置の給電出力モジュールは、照明制御信号に基づいて第１給電信号を出力する。
【０１２０】
具体的には、動的照明装置の給電出力モジュールは、照明部に駆動電源信号を提供するためのモジュールである。駆動電源信号を第１給電信号として規定し、第１給電信号の電気パラメータは一組または複数組の動的変化の電気パラメータを含む。複数組の電気パラメータである場合、複数組の電気パラメータは多回路に分けて出力される。
【０１２１】
電気パラメータは、具体的に、電流および電圧であってもよく、電圧の電圧値、変化率、電流の大きさ、変化率などを含み、あるいは電圧と電流のいずれかであってもよく、さらに給電出力モジュールの出力のオン、オフ状態であってもよい。
【０１２２】
給電出力モジュールは第１給電信号を出力し、使用者の入力コマンドに基づいて出力されてもよく、予め設定されたものに基づいて出力されてもよい。
【０１２３】
第１形態では、給電出力モジュールは、ユーザが入力した照明制御指令を受信し、照明制御信号を生成し、かつ照明制御信号に基づいて第１給電信号を出力することができる。
【０１２４】
ユーザが入力した照明制御指令を受信することは、具体的に、有線または無線方式によって実現できる。
【０１２５】
例えば、動的照明装置に設置された照明モード選択ボタンに対するユーザのタッチに感知することによって、または無線伝送を介してユーザが遠隔制御装置を操作することによる照明制御指令の遠隔入力を受信する。
【０１２６】
第２形態では、動的照明装置の給電出力モジュールは、予め設定された照明制御信号に基づいて第１給電信号を出力する。
【０１２７】
予め設定された照明制御信号は、動的照明装置の記憶装置に記憶され、給電出力モジュールによって記憶装置から読み取られ取得されることができる。記憶装置は、ＲＯＭチップまたは如何なる他のタイプの不揮発性固体半導体記憶装置でもよい。予め設定された照明制御信号を記憶装置に書き込む方式は、有線による入力方式によって実現することができ、さらに例えば赤外線接続口、ブルートゥース接続口、ＵＳＢ接続口などの記憶装置に接続される接続口によって実現することもできる。
【０１２８】
ステップ３２０：動的照明装置の一つまたは複数の照明部は、前記第１給電信号の駆動のもとで色温度が動的に変化する光信号を生成することにより、前記動的照明装置は色温度が動的に変化する照明光を出力する。
【０１２９】
具体的には、動的照明装置における照明部は一つでも複数でもよく、給電出力モジュールに接続される。複数の場合、複数の照明部が同じ組の電気パラメータによって駆動制御されることができ、複数の照明部がそれぞれ複数出力される複数組の電気パラメータによって駆動制御されることもできる。したがって、複数の照明部は第１給電信号の駆動のもとで色温度が動的に変化する光信号を同時に生成することができ、色温度が動的に変化する光信号を時間別に生成することもできる。
【０１３０】
さらに、照明部に含まれる発光体は、同じ種類でもよく、異なる種類でもよく、各照明部に含まれる発光体は１個または複数であり、これらの発光体は第１給電信号の駆動のもとで点灯または消灯したり、その発光の色温度を変更することにより、全体的に各照明部の光信号の出力の変化に影響を与える。
【０１３１】
複数の照明部のそれぞれに出力される給電信号について、該照明部におけるすべての発光体に同じ組の電気パラメータを出力してもよく、一部の発光体に一組の電気パラメータを出力し、別の一部の発光体に別の組の電気パラメータを出力してもよい、つまり、本実施例に係る方法では、照明部、発光体に対していずれも独立に制御することができる。
【０１３２】
具体的な例では、照明部におけるすべての発光体または一部の発光体に出力される電流および電圧、またはそれらのいずれかを動的に変更することでこれらの発光体の発光の色温度を変更することにより、照明部によって出力される光信号の色温度の動的変化を実現できる。
【０１３３】
発光体がパワータイプ白色ＬＥＤであることを例として、電流を変更することで色温度を変更できる。
【０１３４】
装置の駆動電流の増加に伴って、パワータイプ白色ＬＥＤの色温度は徐々に増加してくる。これは、電流を増やした後、チップから放出される青色光が増え、蛍光体層の厚さが一定であり、出射された白色光における青色光の成分が増加し、それによって装置の色温度が上昇するからである。
【０１３５】
別の具体的な例では、照明部における異なる種類の発光体に対する出力モジュールの給電出力を動的にオンまたはオフすることによって実現できる。好ましい実施例では、照明部には１００個の独立する発光体があり、具体的には、一部の黄色ＬＥＤおよび一部の白色ＬＥＤが含まれることができ、各発光体の電源入力はいずれも独立にオン・オフ制御される。まず、給電信号の制御によりその一部を起動し、例えばまず全部の黄色ＬＥＤが点灯するように制御し、次に、すべての発光体が点灯するまでに０．１秒ごとに一つの白色ＬＥＤの点灯を増やし、その後、すべての白色ＬＥＤが全部消灯するまでに０．１秒ごとに一つの白色ＬＥＤが消灯するように制御し、白色ＬＥＤを逐一にオン・オフする過程を繰り返しながら、黄色ＬＥＤの点灯状態を保持することにより、照明部によって出力される光信号の色温度の動的変化を実現できる。
【０１３６】
照明部に対して独立または統一的に制御するか、または発光体に対して独立または統一に制御するかにかかわらず、使用者の照明装置に対する正常な使用要求に影響しないため、第１給電信号は動的変化の光信号を生成するように照明部を駆動し、動的照明装置によって出力される全体的な照明光の色温度の変化が、任意の０．１秒の期間内に１０Ｋ以下である。
【０１３７】
このように設定する根拠は、目が視覚惰性を有することであり、すなわち、光学像がいったん網膜に形成されると、視覚ではその光学像に対する感覚は限られた時間内に存続し、このような生理的現象は視覚残像と呼ばれる。異なる環境における異なる輝度によって、視覚残像時間の長さは相違し、輝度が高ければ高いほど、視覚残像時間は短くなる。一方、照明装置の使用環境について、中程度の輝度の環境では、視覚残像時間は約０．１〜０．４秒である。したがって、０．１秒の時間範囲内で、各視覚残像時間内の光の変化がいずれも微小であると保証するように色温度の変化を１０Ｋ以下に設定することによって、照明装置の使用者が照明光の色温度の変化を感知できない、よって、使用者の正常な使用に何らかの影響を与えない。
【０１３８】
照明に対するニーズを満たすために、色温度の変化は一定の範囲内にある必要がある。室内環境下の照明ニーズを満たすために、本例では、色温度の変化範囲が２５００Ｋ〜６５００Ｋである。
【０１３９】
無論、出力される照明光の色温度の動的変化は、第１給電信号の変化と直接関連するので、制御信号によって設定できるものであり、規則的変化でも不規則的変化でもよい。好ましい実施の形態では、動的変化を規則的な変化として設定できる。
【０１４０】
ステップ３３０：動的照明装置によって出力される色温度が動的に変化する照明光が使用者の眼部に入射することにより、使用者の眼部の構造は照明光の色温度の動的変化に伴って動的に変化する。
【０１４１】
上記ステップ３１０およびステップ３２０で生成される色温度が動的に変化する照明光が動的照明装置の使用者の眼部に入射することにより、虹彩、毛様体筋および水晶体を含む使用者の眼部の構造のうちの一つまたは複数は、照明光の色温度の動的変化に伴って動的に変化する。かつ、視覚残像時間内の照度変化率に対する合理的な設定により、使用者は照明光の動的変化を主観的に感知できないため、使用者の正常な使用には何らかの影響を与えない。
【０１４２】
また、異なる色温度はさらに人に周囲環境に対して異なる感知を生じさせるため、光の色温度の変化により、該環境にいる使用者の作業効率、脳疲労度などに有益な影響を与えることができる。
【０１４３】
例えば、本実施例に係る色温度可変な動的照明方法は、教育環境に適用できる。授業が始まる前または始まったばかりの際に、暖かい色温度を有する光で照明するように制御することにより、このような環境で人を落ち着かせることができる。経時的に、動的照明装置を制御して、徐々に増加するように照明の色温度を自動で動的に調整することにより、その環境での照明光は暖かい光から冷たい光へと徐々に変わる。色温度が高い場合、人の注意力はより集中しやすいため、教育環境で効率良く勉強することに資する。
【０１４４】
しかし、色温度が高い環境では、解像度が高いので、色温度の高い環境に長期的にいることで、視覚疲労を起こしやすい。したがって、授業の進度によっては、授業の終わりに、出力される動的照明を暖かい光に調整するように再制御することにより、視覚システムおよび注意力の面において人をリラックスさせることができる。
【０１４５】
動的照明の光の色温度の合理な変化により、脳疲労度を緩め、作業効率を高めることができる。
【０１４６】
本発明の実施例に係る色温度可変な動的照明方法によれば、動的照明装置は色温度が動的に変化する照明光を出力するように、照明部の発光を制御する電気パラメータを自動で動的に変更することができ、照明光が使用者の眼部に入射することにより、使用者の眼部の生理的構造も照明光の変化に応じて対応的に変化し、それによりユーザが長期的に目を使うことで視覚疲労を起こしやすいという問題を効果的に解決でき、使用者の正常な使用に影響を与えないと同時に、使用者の視覚的健康を守ることができる。また、照明光の色温度の動的変化傾向を合理的に制御することにより、光の色温度の変化を通して該環境にいる使用者の作業効率、脳疲労度などに有益な影響を与える。
【０１４７】
対応的に、本発明の実施例４はさらに上記方法を実現するための動的照明装置に関する。図４に示すように、動的照明装置は、給電出力モジュール１、照明部２、記憶装置３および電源入力用接続口４を含む。
【０１４８】
電源入力用接続口４の出力は給電出力モジュール１の入力に接続され、電源入力用接続口４を介して外部電源を動的照明装置に接続し、具体的には、都市電力または電池による給電を採用できる。
【０１４９】
記憶装置３は給電出力モジュール１に接続される。記憶装置３には照明制御信号が記憶されている。照明制御信号は記憶装置３に予め記憶されたものでも、動的照明装置における入力装置（未図示）によって受信されるユーザが入力した照明制御指令でも良い。照明制御指令に基づいて生成される照明制御信号は、給電出力モジュール１に送信され、かつ記憶装置３に記憶される。
【０１５０】
記憶装置３は、ＲＯＭチップまたは如何なる他のタイプの不揮発性固体半導体記憶装置でもよい。予め設定された照明制御信号を記憶装置に書き込む方式は、有線による入力方式によって実現することができ、さらに例えば赤外線接続口、ブルートゥース接続口、ＵＳＢ接続口などの記憶装置に接続される接続口によって実現することもできる。
【０１５１】
給電出力モジュール１は、記憶装置３から照明制御信号を読み取り、照明制御信号に基づいて第１給電信号を出力する。前記第１給電信号の電気パラメータは一組または複数組の動的変化の電気パラメータを含む。複数組の電気パラメータである場合、複数組の電気パラメータは多回路に分けて出力される。
【０１５２】
電気パラメータは、具体的に、電流および電圧であってもよく、電圧の電圧値、変化率、電流の大きさ、変化率などを含み、あるいは電圧と電流のいずれかであってもよく、さらに給電出力モジュールの出力のオン、オフ状態であってもよい。
【０１５３】
動的照明装置は一つ以上の照明部２を含むことができ、第１給電信号の駆動のもとで動的変化の光信号を生成することにより、動的照明装置は動的変化の照明光を出力し、かつ動的変化の照明光が使用者の眼部に入射することにより、使用者の眼部の構造は前記照明光の動的変化に伴って動的に変化する。
【０１５４】
給電出力モジュール１によって出力される複数組の電気パラメータが多回路に分けて出力される場合、複数の照明部２はそれぞれ多回路のうちの一つに接続されることができ、複数の照明部２によって出力される動的変化の光信号は同時に生成されることも、時間別に生成されることもできる。
【０１５５】
したがって、動的変化の照明光の出力は連続的出力でもよく、断続的出力でも良い。照明光の動的変化は、照度の動的変化、色温度の動的変化などを含むことができる。
【０１５６】
動的照明装置によって出力される照明光の動的変化モードは、使用者によって感知されるかまたは感知されないという２種類があり、ここで、使用者感知モードは視覚訓練シチュエーションに適用でき、使用者非感知モードは日常照明の応用シチュエーションに適用できる。
【０１５７】
動的変化の照明光の断続的出力を実現する具体的な形態では、給電出力モジュール１は、第１給電信号に加えて、第１給電信号と時間別に交互に出力される第２給電信号をさらに出力する。第２給電信号の電気パラメータは、予め設定された一組または複数組の固定または動的変化の電気パラメータを含む。一つまたは複数の照明部２は第２給電信号の駆動のもとで定常または動的変化の第２光信号を生成することにより、前記動的照明装置は第１動的変化の照明光を断続的に出力する断続時間内に、定常または第２動的変化の照明光を出力する。ここで、第１動的変化の照明光は、その動的変化がユーザによって感知されるものであり、定常または第２動的変化の照明光は、その動的変化がユーザによって感知されないものである。したがって、この形態では、変化を感知できる照明光と変化を感知できない照明光を交互に出力することを実現できる。
【０１５８】
以下、照明光の動的変化を感知できる作業モードと照明光の動的変化を感知できない作業モードについて具体的に説明する。
【０１５９】
動的変化が使用者によって感知されないモードでは、動的照明装置は、日常照明の応用シチュエーションに適用できる。
【０１６０】
照明部２が第１給電信号によって駆動されて、動的変化の光信号を生成することにより、動的照明装置によって出力される照明光も相応的に動的に変化する。変化したものが照度であれば、任意の０．１秒の期間内に、照度の変化率は０．０２以下である。変化したものが色温度であれば、任意の０．１秒の期間内に、色温度の変化は１０Ｋ以下である。
【０１６１】
このように設定する根拠は、目が視覚惰性を有することであり、すなわち、光学像がいったん網膜に形成されると、視覚ではその光学像に対する感覚は限られた時間内に存続し、このような生理的現象は視覚残像と呼ばれる。異なる環境における異なる輝度によって、視覚残像時間の長さは相違し、輝度が高ければ高いほど、視覚残像時間は短くなる。一方、照明装置の使用環境について、中程度の輝度の環境では、視覚残像時間は約０．１〜０．４秒である。したがって、０．１秒の時間範囲内で、各視覚残像時間内の光の変化がいずれも微小であると保証するように照度の変化率を０．０２以下または色温度の変化を１０Ｋ以下に設定することによって、照明装置の使用者が照明光の変化を感知できない、よって、使用者の正常な使用に何らかの影響を与えない。
【０１６２】
照明に対するニーズを満たすために、照度または色温度の変化は一定の範囲内で制御される必要がある。照度を変更すると、照度の変化範囲は５０ｌｕｘ〜１００００ｌｕｘである。色温度を変更すると、色温度の変化範囲は２５００Ｋ〜６５００Ｋである。
【０１６３】
また、照度を変更する場合、使用者の眼部の生理的構造が照明光によって変化するという目的を達成するために、照明光の照度の変化量も一定の比率に達する必要があり、出力される照明光の照度の最小値と最大値との比が５０％以下であることを満たす必要がある。ここで言う照度の変化は動的なものであり、異なる動的変化の期間内に、照度は継続的に増強するかまたは継続的に弱化してもよく、波状的に増強するかまたは波状的に弱化してもよい。照明光が使用者の眼部に入射することにより、使用者の眼部の生理的構造も照明光の照度の変化に伴って相応的に変化し、それにより使用者が長期的に目を使用使うことで視覚疲労を起こしやすいという問題を効果的に解決できる。
【０１６４】
色温度を変更する場合、照明光の色温度の変化によって使用者が長期的に目を使うことで視覚疲労を起こしやすいという問題を効果的に解決できるほか、さらに光の色温度の変化を制御することによって、該環境にいる使用者の作業効率、脳疲労度などに有益な影響を与えることができる。
【０１６５】
照明光の動的変化が使用者によって感知されるモードでは、本実施例に係る動的照明装置は視覚訓練を行う応用シチュエーションに適用できる。
【０１６６】
好ましくは、動的照明装置では感知可能な動的変化の照明光を断続的に出力するという実現方法を採用する。
【０１６７】
照明部２が第１給電信号によって駆動されて、動的変化の光信号を生成することにより、動的照明装置によって出力される照明光の照度の変化率は任意の０．１秒の期間内に、０．０２より大きくかつ０．２より小さい。
【０１６８】
同様に、上述の視覚残像の原理に基づき、０．１秒の時間範囲内で、照度の変化率を０．０２より大きくかつ０．２未満に設定することによって、各視覚残像時間内の光の変化が使用者に感知されることが保証でき、しかも大きく変化することで使用者に不快感を与え、ひいては視覚損傷を引き起こすことがないと保証できる。
【０１６９】
良い視覚訓練効果を達成するために、第１給電信号の出力時間の長さは一回で１０秒以下であり、つまり、動的に変化していると感知可能な照明光の出力時間の長さは一回で１０秒以下である。動的に変化していると感知可能な照明光の２回の出力時間の間に、出力される動的に変化していると感知不可能な照明光は、定常の照明光でも、動的変化の照明光でもよい。感知できない照度、色温度などのパラメータの変化条件を満足したものであればよい。
【０１７０】
好ましい実施例では、動的に変化していると感知可能な照明光と動的に変化していると感知不可能な照明光は交互に出力される。隣接期間内に、動的に変化していると感知可能な照明光の出力時間の長さは、動的に変化していると感知不可能な照明光の出力時間の長さの１０％以下である。
【０１７１】
したがって、動的照明装置によって出力される照明光の照度の変化率を合理的に設定することにより、使用者は照明光の動的変化を主観的に感知でき、視覚システムの訓練に適用できる。
【０１７２】
出力される照明光の動的変化は、第１給電信号の変化と直接関連するので、制御信号によって設定できるものである。好ましい実施の形態では、動的変化を規則的な変化として設定できる。
【０１７３】
本実施例では、照明部２には１個または複数の発光体２０が含まれることでき、発光体２０は同じ種類でもよく、異なる種類でもよい。複数の種類の発光体は、異なる色温度を有する発光体であってもよく、例えば黄色ＬＥＤおよび白色ＬＥＤが挙げられる。また、発光体２０は、例えばタングステンランプビーズ、ＯＬＥＤタイプの照明装置などのＬＥＤ以外のタイプの光源を採用することもできる。
【０１７４】
以下、それぞれ三つの具体例を以て、本発明の実施例に係る動的照明装置の幾つかの具体的な実施の形態について説明する。
【０１７５】
図５に示すように、例１では、動的照明装置は一つの照明部２を含み、照明部２は給電出力モジュール１の出力に接続され、給電信号を受信できる。電源入力用接続口４の出力は給電出力モジュール１の入力に接続され、電源入力用接続口４を介して外部電源を動的照明装置に接続する。記憶装置３は給電出力モジュール１に接続される。記憶装置３には照明制御信号が記憶されている。
【０１７６】
照明部２には、１００個の独立する発光体２０があり、本例では、同じ種類の発光体であることが可能であり、例えば白色ＬＥＤが挙げられる。各発光体２０の電源入力はいずれも給電出力モジュール１に独立に接続され、給電信号によってオン・オフ制御される。
【０１７７】
具体的な例では、給電信号の制御によりまずそのうちの５０個の発光体２０を起動し、動的照明装置を点灯する。次に、すべての発光体２０が点灯するまでに０．１秒ごとに一つの発光体２０の点灯を増やし、さらに、５０個に減少するまでに０．１秒ごとに一つの発光体が消灯するように制御する。このように、動的照明装置によって出力される照明光の照度の動的変化を実現できる。
【０１７８】
上記に例示した変化は、発光体の光信号の出力の変化量を固定比率で徐々に増加または減少することにより、各期間内の照度の変化率を同一に保持させるものであってもよいし、発光体の光信号の出力の変化量を非固定比率で動的に変更するものであってもよい。
【０１７９】
本例では、動的照明装置によって出力される照明光の照度の変化率が、任意の０．１秒の期間内に０．０２以下である。したがって、照明光の動的変化は使用者によって感知されず、日常照明のニーズを満たすことができる。本例に係る動的照明装置は、動的変化の照明光を出力できる。それが使用者の眼部に入射することにより、使用者の眼部の生理的構造も照明光の変化に伴って動的に変化し、それによりユーザが目を長期的に使用することで視覚疲労を起こしやすいという問題を効果的に解決できる。
【０１８０】
図６に示すように、例２では、動的照明装置は二つの照明部を含み、それぞれ第１照明部２１と第２照明部２２である。第１照明部２１と第２照明部２２はそれぞれ給電出力モジュール１の出力に接続される。電源入力用接続口４の出力は給電出力モジュール１の入力に接続され、電源入力用接続口４を介して外部電源を動的照明装置に接続する。記憶装置３は給電出力モジュール１に接続される。記憶装置３には照明制御信号が記憶されている。
【０１８１】
第１照明部２１には４０個の発光体２０が含まれ、第２照明部２２には５０個の発光体２０が含まれ、第１照明部２１におけるすべての発光体２０の電源入力はいずれも統一的にオン・オフ制御され、第２照明部２２における５０個の発光体２０は１０組に分けて、５個ずつを一組として同時にオン／オフにする。本例では、同じ種類の発光体であってもよく、例えば白色ＬＥＤが挙げられる。
【０１８２】
給電信号の制御によりまず第１照明部２１におけるすべての発光体２０を起動し、動的照明装置を点灯して２５秒を保持する。次に、すべての発光体が点灯するまでに０．１秒ごとに第２照明部２２における一組の発光体２０の点灯を増やし、合計で１秒がかかり、この過程で出力される照明光は動的に変化する。９０個のＬＥＤが全部点灯している状態で２５秒保持する。さらに、第２照明部２２における発光体２０が全部消灯するまでに０．１秒ごとに第２照明部２２における一組の発光体２０が消灯するように制御し、合計で１秒がかかり、この過程で出力される照明光は動的に変化する。この場合、第１照明部２１におけるすべての発光体２０は点灯状態に維持され、第２照明部２２におけるすべての発光体２０は消灯状態に維持される。２５秒を保持した後、第２照明部２２における発光体２０が組ごとに点灯、保持および消灯するという過程を繰り返す。このように、動的照明装置によって出力される照明光の照度の動的変化を実現できる。
【０１８３】
本例では、動的照明装置によって出力される照明光の動的出力は、各繰り返す周期内に、定常出力時間は二つの間隔の２５秒であり、動的出力時間は二つの間隔の１秒である。任意の０．１秒の期間内の動的出力の照度の変化率はいずれも０．０２より大きくかつ０．２より小さいため、照明光の動的変化は使用者によって感知され、使用者の視覚システムの訓練に適用できる。
【０１８４】
本例における定常出力時間に、他の具体的な実施例では変化の照明光を出力することも可能であるが、該時間内に出力される光は、０．１秒の期間内に照度の変化率が０．０２以下であることを満たす必要があり、即ち、照明光の動的変化は使用者によって感知されず、動的に変化していると感知可能な照明光の断続的出力を実現でき、つまり使用者の視覚システムの訓練に適用できる。
【０１８５】
本例に係る動的照明装置は、動的に変化していると感知可能な照明光と動的に変化していると感知不可能照明光を交互に出力でき、動的変化の照明光を使用者の眼部に入射することにより、使用者の眼部の生理的構造も照明光の変化に伴って相応的に変化し、それによりユーザが目を長期的に使用することで視覚疲労を起こしやすいという問題を緩め、視覚システムの機能の改善に資する。
【０１８６】
図７に示すように、例３では、動的照明装置は二つの照明部２を含み、それぞれ第１照明部２１と第２照明部２２である。第１照明部２１と第２照明部２２はそれぞれ給電出力モジュール１の出力に接続される。電源入力用接続口４の出力は給電出力モジュール１の入力に接続され、電源入力用接続口４を介して外部電源を動的照明装置に接続する。記憶装置３は給電出力モジュール１に接続される。記憶装置３には照明制御信号が記憶されている。
【０１８７】
第１照明部２１と第２照明部２２には、それぞれ２５個の発光体２０が含まれ、ここで、第１照明部２１は、黄色ＬＥＤを採用し、第２照明部２２は、白色ＬＥＤを採用し、第１照明部２１におけるすべての発光体２０の電源入力はいずれも統一的にオン・オフ制御され、第２照明部２２における２５個の発光体は逐一に独立にオン・オフ制御される。
【０１８８】
給電信号の制御によりまず第１照明部２１におけるすべての黄色ＬＥＤを起動し、次にすべての発光体が全部点灯するまでに０．１秒ごとに第２照明部２２の１個の白色ＬＥＤの点灯を増やす。その後、すべての白色ＬＥＤが全部消灯するまでに０．１秒ごとに１個の白色ＬＥＤが消灯するように制御する。白色ＬＥＤを逐一にオン・オフにする過程を繰り返しながら、黄色ＬＥＤの点灯状態を保持することにより、照明部によって出力される光信号の色温度の動的変化を実現できる。
【０１８９】
本例では、動的照明装置によって出力される照明光の色温度の変化は任意の０．１秒の期間内に１０Ｋ以下であるため、照明光の動的変化は使用者によって感知されず、日常照明のニーズを満足できる。色温度が動的に変化する照明光を出力することにより、ユーザが目を長期的に使用することで視覚疲労を起こしやすいという問題を効果的に解決できる。
【０１９０】
本実施例に係る動的照明装置は、作業、教育など異なる環境に適用することにより、使用者が必要とする色温度の変化を提供できる。
【０１９１】
本例を例とすると、教育環境に適用できる。授業が始まる前または始まったばかりの際に、暖かい色温度を有する光で照明するように制御することにより、このような環境で人を落ち着かせることができる。経時的に、動的照明装置を制御して、徐々に増加するように照明の色温度を自動で動的に調整することにより、その環境での照明光は暖かい光から冷たい光へと徐々に変わる。色温度が高い場合、人の注意力はより集中しやすいため、教育環境で効率良く勉強することに資する。しかし、色温度が高い環境では、解像度が高いので、色温度の高い環境に長期的にいることで、視覚疲労を起こしやすい。したがって、授業の進度によっては、授業の終わりに、出力される動的照明を暖かい光に調整するように再制御することにより、視覚システムおよび注意力の面において人をリラックスさせることができる。動的照明の光の色温度の合理な変化により、脳疲労度を緩め、作業効率を高めることができる。
【０１９２】
当業者は、本明細書に開示された実施例に記載の各例のユニットおよび計算のステップは、電子ハードウェア、コンピュータソフトウェアまたは両者の組み合わせによって実現できるとさらに理解できる。ハードウェアとソフトウェアの交換可能性を明確に説明するために、上述説明では機能に基づいて各例の構成およびステップを説明した。これらの機能が一体ハードウェア方式それともソフトウェア方式によって実行されるかということは、技術案の特定な応用および設計際の制限条件によって決められる。当業者は、各特定な応用ごとに異なる方法を使用することにより、上述機能を実現できるが、このような実現は本発明の範囲を超えていると認めてはならない。
【０１９３】
本明細書に開示された実施例に記載の方法または計算のステップは、ハードディスク、プロセッサによって実行されるソフトウェアモジュール、または両者の組み合わせによって実施できる。ソフトウェアモジュールは、ランダムアクセスメモリ（ＲＡＭ）、メモリ、読み出し専用メモリ（ＲＯＭ）、電気的にプログラミング可能なＲＯＭ、電気的に消去・プログラミング可能なＲＯＭ、レジスター、ハードディスク、リムーバブルディスク、ＣＤ−ＲＯＭ、または技術分野で公知される任意の他の形態の記憶媒体に設けられることができる。
【０１９４】
上述の具体的な実施の形態では、本発明の目的、技術案および有益な効果についてより詳細に説明した。上述の記載は本発明の具体的な実施の形態に過ぎず、本発明の保護範囲を限定するためのものではなく、本発明の精神および原則内でなされた任意の修正、等効な置換、改善などはいずれも、本発明の保護範囲に含まれるものとする。
【図１】
2019526160.tif 000004
【図２】
2019526160.tif 000005
【図３】
2019526160.tif 000006
【図４】
2019526160.tif 000007
【図５】
2019526160.tif 000008
【図６】
2019526160.tif 000009
【図７】
2019526160.tif 000010
【手続補正書】
【提出日】平成30年1月4日(2018.1.4)
【手続補正１】
【補正対象書類名】特許請求の範囲
【補正対象項目名】全文
【補正方法】変更
【補正の内容】
【特許請求の範囲】
【請求項１】
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで動的変化の光信号を生成することにより、前記動的照明装置は動的変化の照明光を出力することと、
を含み、
任意の０．１秒の期間内に、前記照明光の照度の変化率は０．０２以下であり、かつ、前記動的照明装置によって出力される照明光の照度の最小値と最大値との比は５０％以下であることを特徴とする動的照明方法。
【請求項２】
前記動的照明装置によって出力される動的変化の照明光が使用者の眼部に入射することにより、使用者の眼部の構造は前記照明光の動的変化に伴って動的に変化することを特徴とする、
請求項１に記載の動的照明方法。
【請求項３】
前記動的変化の照明光の照度の変化範囲は５０ｌｕｘ〜１００００ｌｕｘであることを特徴とする、
請求項１に記載の動的照明方法。
【請求項４】
前記複数の照明部は前記第１給電信号の駆動のもとで動的変化の光信号を同時に生成し、または、
前記複数の照明部は前記第１給電信号の駆動のもとで動的変化の光信号を時間別に生成することを特徴とする、
請求項１に記載の動的照明方法。
【請求項５】
前記照明部は複数の発光体を含み、前記電気パラメータは電流および／または電圧を含み、
前記一つまたは複数の照明部が前記第１給電信号の駆動のもとで動的変化の光信号を生成することは、具体的に、前記一つまたは複数の照明部におけるすべての発光体または一部の発光体が前記第１給電信号の駆動のもとで発光体の発光照度を変更するということであることを特徴とする、
請求項１または４に記載の動的照明方法。
【請求項６】
前記照明部は複数の発光体を含み、前記電気パラメータは電源のオン、オフ状態を含み、
前記一つまたは複数の照明部が前記第１給電信号の駆動のもとで動的変化の光信号を生成することは、具体的に、前記一つまたは複数の照明部における一部の発光体が前記第１給電信号の駆動のもとで点灯または消灯するということであることを特徴とする、
請求項１または４に記載の動的照明方法。
【請求項７】
前記照明部は１種類以上の発光体からなることを特徴とする、
請求項１または４に記載の動的照明方法。
【請求項８】
前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであり、または、
前記動的照明装置の給電出力モジュールは、予め設定された前記照明制御信号に基づいて第１給電信号を出力するということであることを特徴とする、
請求項１に記載の動的照明方法。
【請求項９】
動的照明装置の給電出力モジュールは照明制御信号に基づき、電気パラメータが一組または複数組の動的変化の第１電気パラメータを含む第１給電信号と、電気パラメータが予め設定された一組または複数組の固定または動的変化の第２電気パラメータを含む第２給電信号と、を交互に出力することと、
前記動的照明装置の一つまたは複数の照明部は前記第１給電信号の駆動のもとで動的変化の第１光信号を生成することにより、前記動的照明装置は第１動的変化の照明光を断続的に出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下であることを特徴とする動的変化の照明方法。
【請求項１０】
前記動的照明装置によって出力される第１動的変化の照明光が使用者の眼部に入射することにより、使用者は前記照明光の動的変化を感知し、かつ前記使用者の眼部の構造は前記照明光の第１動的変化に伴って動的に変化することを特徴とする、
請求項９に記載の動的照明方法。
【請求項１１】
前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、
前記第２動的変化とは、具体的に、任意の０．１秒の期間内に、前記第２動的変化の照明光の照度の変化率が０．０２以下であるということであることを特徴とする、
請求項９または１０に記載の動的照明方法。
【請求項１２】
任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続時間の１０％以下であることを特徴とする、
請求項１１に記載の動的照明方法。
【請求項１３】
第１動的変化の照明光の出力時間の長さは、一回で１０秒以下であることを特徴とする、
請求項９または１２に記載の動的照明方法。
【請求項１４】
前記照明光の照度の変化範囲は５ｌｕｘ〜１００００ｌｕｘであることを特徴とする、
請求項９に記載の動的照明方法。
【請求項１５】
前記複数の照明部は前記第１給電信号の駆動のもとで動的変化の第１光信号を同時に生成し、または、
前記複数の照明部は前記第１給電信号の駆動のもとで動的変化の第１光信号を時間別に生成することを特徴とする、
請求項９に記載の動的照明方法。
【請求項１６】
前記照明部は複数の発光体を含み、
前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、
前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということであることを特徴とする、
請求項９または１５に記載の動的照明方法。
【請求項１７】
前記照明部は１種類以上の発光体からなることを特徴とする、
請求項９に記載の動的照明方法。
【請求項１８】
前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということであることを特徴とする、
請求項９に記載の動的照明方法。
【請求項１９】
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで色温度が動的に変化する光信号を生成することにより、前記動的照明装置は色温度が動的に変化する照明光を出力することと、
を含むことを特徴とする動的変化の照明方法。
【請求項２０】
前記動的照明装置によって出力される色温度が動的に変化する照明光が使用者の眼部に入射することにより、前記使用者の眼部の構造は前記照明光の色温度の動的変化に伴って動的に変化することを特徴とする、
請求項１９に記載の動的照明方法。
【請求項２１】
前記動的照明装置によって出力される色温度が動的に変化する照明光の動的変化とは、具体的に、任意の０．１秒の期間内に、前記照明光の色温度の変化は１０Ｋ以下であるということであることを特徴とする、
請求項１９に記載の動的照明方法。
【請求項２２】
前記動的変化の照明光の色温度の変化範囲は２５００Ｋ〜６５００Ｋであることを特徴とする、
請求項１９または２１に記載の動的照明方法。
【請求項２３】
前記複数の照明部は前記第１給電信号の駆動のもとで色温度が動的に変化する光信号を同時に生成し、または、
前記複数の照明部は前記第１給電信号の駆動のもとで色温度が動的に変化する光信号を時間別に生成することを特徴とする、
請求項１９に記載の動的照明方法。
【請求項２４】
前記照明部は１種類または複数の種類の発光体を含み、
前記電気パラメータは電流および／または電圧を含み、前記一つまたは複数の照明部が前記第１給電信号の駆動のもとで色温度が動的に変化する光信号を生成することは、具体的に、前記一つまたは複数の照明部におけるすべての発光体または一部の発光体が前記第１給電信号の駆動のもとで発光体の色温度を変更するということであることを特徴とする、
請求項１９または２３に記載の動的照明方法。
【請求項２５】
前記照明部は複数の種類の発光体を含み、
前記電気パラメータは電源のオン、オフ状態を含み、前記一つまたは複数の照明部が前記第１給電信号の駆動のもとで色温度が動的に変化する光信号を生成することは、具体的に、前記一つまたは複数の照明部における異なる種類の発光体は前記第１給電信号の駆動のもとで点灯または消灯するということであることを特徴とする、
請求項１９または２３に記載の動的照明方法。
【請求項２６】
前記照明部は一つ以上の発光体からなることを特徴とする、
請求項１９に記載の動的照明方法。
【請求項２７】
前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであることを特徴とする、
請求項１９に記載の動的照明方法。
【請求項２８】
前記動的照明装置の給電出力モジュールが照明制御信号に基づいて第１給電信号を出力することは、具体的に、
前記動的照明装置の給電出力モジュールは、予め設定された前記照明制御信号に基づいて第１給電信号を出力するということであることを特徴とする、
請求項１９に記載の動的照明方法。
【請求項２９】
動的照明装置であって、
照明制御信号に基づき、電気パラメータが一組または複数組の動的変化の電気パラメータを含む第１給電信号を出力するための給電出力モジュールと、
前記第１給電信号の駆動のもとで動的変化の光信号を生成することにより、前記動的照明装置が動的変化の照明光を出力し、かつ前記動的変化の照明光が使用者の眼部に入射することにより、使用者の眼部の構造が前記照明光の動的変化に伴って動的に変化するための一つまたは複数の照明部と、
を含むことを特徴とする動的照明装置。
【請求項３０】
前記照明部は、具体的に、前記第１給電信号の駆動のもとで、任意の０．１秒の期間内に照度の変化率が０．０２以下である照明光を生成することに用いられることを特徴とする、
請求項２９に記載の動的照明装置。
【請求項３１】
前記照明部は、具体的に、前記第１給電信号の駆動のもとで、任意の０．１秒の期間内に色温度の変化が１０Ｋ以下である照明光を生成することに用いられることを特徴とする、
請求項２９に記載の動的照明装置。
【請求項３２】
前記照明部は、具体的に、前記第１給電信号の駆動のもとで、任意の０．１秒の期間内に照度の変化率が０．０２より大きくかつ０．２より小さい照明光を生成することに用いられることを特徴とする、
請求項２９に記載の動的照明装置。
【請求項３３】
前記給電出力モジュールは、前記第１給電信号と交互に出力される第２給電信号を照明制御信号に基づいて出力することにさらに用いられ、
前記一つまたは複数の照明部は、前記第２給電信号の駆動のもとで定常または動的変化の第２光信号を生成することにより、前記動的照明装置が第１動的変化の照明光を断続的に出力する断続時間内に、定常または第２動的変化の照明光を出力することにさらに用いられ、
前記第２動的変化とは、具体的に、任意の０．１秒の期間内に、前記第２動的変化の照明光の照度の変化率が０．０２以下であるということであることを特徴とする、
請求項３２に記載の動的照明装置。
【請求項３４】
前記複数の照明部は、具体的に、前記第１給電信号の駆動のもとで動的変化の光信号を同時に生成すること、または前記第１給電信号の駆動のもとで動的変化の光信号を時間別に生成することに用いられることを特徴とする、
請求項２９に記載の動的照明装置。
【請求項３５】
前記照明部は、１種類または複数の種類の複数の発光体を含み、前記電気パラメータは、電流および／または電圧を含み、
すべての発光体または一部の発光体は、前記第１給電信号の駆動のもとで発光体の発光照度または色温度を変更することを特徴とする、
請求項２９に記載の動的照明装置。
【請求項３６】
前記照明部は、１種類または複数の種類の複数の発光体を含み、前記電気パラメータは、電源のオン、オフ状態を含み、
前記一部の発光体は前記第１給電信号の駆動のもとで点灯または消灯することを特徴とする、
請求項２９に記載の動的照明装置。
【請求項３７】
電源入力用接続口をさらに含み、
前記電源入力用接続口の出力端は、給電出力モジュールの入力端に接続され、前記電源入力用接続口は外部電源を前記動的照明装置に接続することに用いられることを特徴とする、
請求項２９に記載の動的照明装置。
【請求項３８】
前記給電出力モジュールに接続される記憶装置をさらに含み、
前記記憶装置は照明制御信号を記憶することに用いられ、
前記給電出力モジュールは前記記憶装置に記憶される前記照明制御信号を取得することを特徴とする、
請求項２９に記載の動的照明装置。
【請求項３９】
前記給電出力モジュールに接続される入力装置をさらに含み、
前記入力装置はユーザが入力した照明制御指令を受信し、前記照明制御指令に基づいて前記照明制御信号を生成し、かつ前記給電出力モジュールに送信することを特徴とする、
請求項２９に記載の動的照明装置。
【手続補正書】
【提出日】平成31年1月29日(2019.1.29)
【手続補正１】
【補正対象書類名】特許請求の範囲
【補正対象項目名】全文
【補正方法】変更
【補正の内容】
【特許請求の範囲】
【請求項１】
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで動的変化の光信号を生成することにより、前記動的照明装置は動的変化の照明光を出力することと、
を含み、
任意の０．１秒の期間内に、前記照明光の照度の変化率は０．０２以下であり、かつ、前記動的照明装置によって出力される照明光の照度の最小値と最大値との比は５０％以下であり、前記動的変化の照明光の照度の変化範囲は５０ｌｕｘ〜１００００ｌｕｘであることを特徴とする動的照明方法。
【請求項２】
前記複数の照明部は前記第１給電信号の駆動のもとで動的変化の光信号を同時に生成し、または、前記複数の照明部は前記第１給電信号の駆動のもとで動的変化の光信号を時間別に生成し、
前記照明部は複数の発光体を含み、前記電気パラメータは電流および／または電圧を含み、前記一つまたは複数の照明部が前記第１給電信号の駆動のもとで動的変化の光信号を生成することは、具体的に、前記一つまたは複数の照明部におけるすべての発光体または一部の発光体が前記第１給電信号の駆動のもとで発光体の発光照度を変更し、または、
前記照明部は複数の発光体を含み、前記電気パラメータは電源のオン、オフ状態を含み、
前記一つまたは複数の照明部が前記第１給電信号の駆動のもとで動的変化の光信号を生成することは、具体的に、前記一つまたは複数の照明部における一部の発光体が前記第１給電信号の駆動のもとで点灯または消灯するということであることを特徴とする、
請求項１に記載の動的照明方法。
【請求項３】
前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであり、または、
前記動的照明装置の給電出力モジュールは、予め設定された前記照明制御信号に基づいて第１給電信号を出力するということであることを特徴とする、
請求項１に記載の動的照明方法。
【請求項４】
動的照明装置の給電出力モジュールは照明制御信号に基づき、電気パラメータが一組または複数組の動的変化の第１電気パラメータを含む第１給電信号と、電気パラメータが予め設定された一組または複数組の固定または動的変化の第２電気パラメータを含む第２給電信号と、を交互に出力することと、
前記動的照明装置の一つまたは複数の照明部は前記第１給電信号の駆動のもとで動的変化の第１光信号を生成することにより、前記動的照明装置は第１動的変化の照明光を断続的に出力することと、
を含み、
任意の０．１秒の期間内に、前記第１動的変化の照明光の照度の変化率は０．０２より大きくかつ０．２より小さく、そして前記動的照明装置によって出力される第１動的変化の照明光は一回の出力時間内に、その照度の最小値と最大値との比が５０％以下であり、前記照明光の照度の変化範囲は５ｌｕｘ〜１００００ｌｕｘであることを特徴とする動的変化の照明方法。
【請求項５】
前記動的照明装置の一つまたは複数の照明部が前記第２給電信号の駆動のもとで定常または動的変化の第２光信号を生成することにより、前記動的照明装置は第１動的変化の照明光を断続的に出力する断続時間内に、定常または第２動的変化の照明光を出力することをさらに含み、前記第２動的変化とは、具体的に、任意の０．１秒の期間内に、前記第２動的変化の照明光の照度の変化率が０．０２以下であるということであり、
任意の段階の前記第１動的変化の照明光の出力時間の長さは、この段階の照明光と次の段階の第１動的変化の照明光との間の断続時間の１０％以下であり、かつ前の段階の第１動的変化の照明光とこの段階の照明光との間の断続時間の１０％以下であり、
前記第１動的変化の照明光の出力時間の長さは、一回で１０秒以下であることを特徴とする、
請求項４に記載の動的照明方法。
【請求項６】
前記複数の照明部は前記第１給電信号の駆動のもとで動的変化の第１光信号を同時に生成し、または、前記複数の照明部は前記第１給電信号の駆動のもとで動的変化の第１光信号を時間別に生成し、
前記照明部は複数の発光体を含み、前記電気パラメータは電流および／または電圧を含み、前記一つまたは複数の照明部が前記第１給電信号の駆動のもとで動的変化の第１光信号を生成することは、具体的に、前記一つまたは複数の照明部におけるすべての発光体または一部の発光体が前記第１給電信号の駆動のもとで発光体の発光照度を変更するということであり、または、前記電気パラメータは電源のオン、オフ状態を含み、前記一つまたは複数の照明部が前記第１給電信号の駆動のもとで動的変化の第１光信号を生成することは、具体的に、前記一つまたは複数の照明部における一部の発光体が前記第１給電信号の駆動のもとで点灯または消灯するということであることを特徴とする、
請求項４に記載の動的照明方法。
【請求項７】
前記動的照明装置の給電出力モジュールが照明制御信号に基づいて第１給電信号および第２給電信号を交互に出力することは、具体的に、
前記動的照明装置の給電出力モジュールは、ユーザが入力した照明制御指令を受信し、前記照明制御信号を生成し、かつ前記照明制御信号に基づいて第１給電信号および第２給電信号を交互に出力するということであり、または、
前記動的照明装置の給電出力モジュールは、予め設定された前記照明制御信号に基づいて第１給電信号および第２給電信号を交互に出力するということであることを特徴とする、
請求項４に記載の動的照明方法。
【請求項８】
動的照明装置の給電出力モジュールは照明制御信号に基づき、電気パラメータが一組または複数組の動的変化の電気パラメータを含む第１給電信号を出力することと、
前記動的照明装置の一つまたは複数の照明部は前記第１給電信号の駆動のもとで色温度が動的に変化する光信号を生成することにより、前記動的照明装置は色温度が動的に変化する照明光を出力することと、
を含み、
前記動的照明装置によって出力される色温度が動的に変化する照明光の動的変化とは、具体的に、任意の０．１秒の期間内に、前記照明光の色温度の変化は１０Ｋ以下であり、
前記動的変化の照明光の色温度の変化範囲は２５００Ｋ〜６５００Ｋであることを特徴とする動的変化の照明方法。
【請求項９】
前記複数の照明部は前記第１給電信号の駆動のもとで色温度が動的に変化する光信号を同時に生成し、または、前記複数の照明部は前記第１給電信号の駆動のもとで色温度が動的に変化する光信号を時間別に生成し、
前記照明部は１種類または複数の種類の発光体を含み、前記電気パラメータは電流および／または電圧を含み、前記一つまたは複数の照明部が前記第１給電信号の駆動のもとで色温度が動的に変化する光信号を生成することは、具体的に、前記一つまたは複数の照明部におけるすべての発光体または一部の発光体が前記第１給電信号の駆動のもとで発光体の色温度を変更するということであり、
前記照明部は複数の種類の発光体を含み、前記電気パラメータは電源のオン、オフ状態を含み、前記一つまたは複数の照明部が前記第１給電信号の駆動のもとで色温度が動的に変化する光信号を生成することは、具体的に、前記一つまたは複数の照明部における異なる種類の発光体は前記第１給電信号の駆動のもとで点灯または消灯するということであることを特徴とする、
請求項８に記載の動的照明方法。
【請求項１０】
前記動的照明装置の給電出力モジュールが照明制御信号に基づいて第１給電信号を出力することは、具体的に、
前記動的照明装置の給電出力モジュールは、ユーザが入力した照明制御指令を受信し、前記照明制御信号を生成し、かつ前記照明制御信号に基づいて第１給電信号を出力するということであることを特徴とする、
請求項８に記載の動的照明方法。
【請求項１１】
前記動的照明装置の給電出力モジュールが照明制御信号に基づいて第１給電信号を出力することは、具体的に、
前記動的照明装置の給電出力モジュールは、予め設定された前記照明制御信号に基づいて第１給電信号を出力するということであることを特徴とする、
請求項８に記載の動的照明方法。
【請求項１２】
動的照明装置であって、
照明制御信号に基づき、電気パラメータが一組または複数組の動的変化の電気パラメータを含む第１給電信号を出力するための給電出力モジュールと、
前記第１給電信号の駆動のもとで動的変化の光信号を生成することにより、前記動的照明装置が動的変化の照明光を出力し、かつ前記動的変化の照明光が使用者の眼部に入射することにより、使用者の眼部の構造が前記照明光の動的変化に伴って動的に変化するための一つまたは複数の照明部と、
を含むことを特徴とする動的照明装置。
【請求項１３】
前記照明部は、具体的に、前記第１給電信号の駆動のもとで、任意の０．１秒の期間内に照度の変化率が０．０２以下である照明光を生成することに用いられ、または、
前記照明部は、具体的に、前記第１給電信号の駆動のもとで、任意の０．１秒の期間内に色温度の変化が１０Ｋ以下である照明光を生成することに用いられ、または、
前記照明部は、具体的に、前記第１給電信号の駆動のもとで、任意の０．１秒の期間内に照度の変化率が０．０２より大きくかつ０．２より小さい照明光を生成することに用いられ、前記給電出力モジュールは、前記第１給電信号と交互に出力される第２給電信号を照明制御信号に基づいて出力することにさらに用いられ、
前記一つまたは複数の照明部は、前記第２給電信号の駆動のもとで定常または動的変化の第２光信号を生成することにより、前記動的照明装置が第１動的変化の照明光を断続的に出力する断続時間内に、定常または第２動的変化の照明光を出力することにさらに用いられ、前記第２動的変化とは、具体的に、任意の０．１秒の期間内に、前記第２動的変化の照明光の照度の変化率が０．０２以下であるということであることを特徴とする、
請求項１２に記載の動的照明装置。
【請求項１４】
前記複数の照明部は、具体的に、前記第１給電信号の駆動のもとで動的変化の光信号を同時に生成すること、または前記第１給電信号の駆動のもとで動的変化の光信号を時間別に生成することに用いられることを特徴とする、
請求項１２に記載の動的照明装置。
【請求項１５】
前記照明部は、１種類または複数の種類の複数の発光体を含み、前記電気パラメータは、電流および／または電圧を含み、すべての発光体または一部の発光体は、前記第１給電信号の駆動のもとで発光体の発光照度または色温度を変更し、または、
前記照明部は、１種類または複数の種類の複数の発光体を含み、前記電気パラメータは、電源のオン、オフ状態を含み、前記一部の発光体は前記第１給電信号の駆動のもとで点灯または消灯することを特徴とする、
請求項１２に記載の動的照明装置。
【請求項１６】
前記給電出力モジュールに接続される記憶装置をさらに含み、
前記記憶装置は照明制御信号を記憶することに用いられ、
前記給電出力モジュールは前記記憶装置に記憶される前記照明制御信号を取得することを特徴とする、
請求項１２に記載の動的照明装置。
【請求項１７】
前記給電出力モジュールに接続される入力装置をさらに含み、
前記入力装置はユーザが入力した照明制御指令を受信し、前記照明制御指令に基づいて前記照明制御信号を生成し、かつ前記給電出力モジュールに送信することを特徴とする、
請求項１２に記載の動的照明装置。
【国際調査報告】
2019526160.tif 000011
2019526160.tif 000012
2019526160.tif 000013
2019526160.tif 000014